【手続補正書】
【提出日】平成24年8月10日(2012.8.10)
【手続補正１】
【補正対象書類名】特許請求の範囲
【補正対象項目名】全文
【補正方法】変更
【補正の内容】
【特許請求の範囲】
【請求項１】
自然エネルギー利用システムに用いられる鉛蓄電池であって、鉛蓄電池の状態を測定する電池状態測定部と、鉛蓄電池の電流・電圧・温度を含む出力ファクタと鉛蓄電池の充電状態の関係を表すＳＯＣモデルと、鉛蓄電池の均等充電を実施する均等充電実施部を有する鉛蓄電池において、
前記電池状態測定部によって測定した情報と前記ＳＯＣモデルの情報から、前記鉛蓄電池の充電状態を推定するＳＯＣ推定部と、前記鉛蓄電池の充電状態がどのように推移しているかを記録するＳＯＣ推移ＤＢと、前記ＳＯＣ推定部に推定された充電状態の値を前記ＳＯＣ推移ＤＢに記録するとともにＳＯＣの推移状況を調べるＳＯＣ推移履歴管理部と、前記鉛蓄電池の充電状態を含む鉛蓄電池の運用状況と劣化の関係を表す劣化モデルと、前記ＳＯＣ推移履歴管理部からのＳＯＣ推移状況および前記劣化モデルの情報をもとに均等充電の最適な実施方式を計画する均等充電最適計画部とを設けたことを特徴とする自然エネルギー利用システムに用いられる鉛蓄電池。
【請求項２】
請求項１に記載された自然エネルギー利用システムに用いられる鉛蓄電池において、前記均等充電最適計画部は、さらに均等充電間隔決定部と均等充電方式決定部を有することを特徴とする自然エネルギー利用システムに用いられる鉛蓄電池。
【請求項３】
請求項１又は２に記載された自然エネルギー利用システムに用いられる鉛蓄電池において、前記ＳＯＣモデルは放電時ＳＯＣモデルと充電時ＳＯＣモデルを有し、前記電池状態測定部の情報に基づいて前記放電時ＳＯＣモデルと充電時ＳＯＣモデルのいずれかを選択するＳＯＣ推定モデル選択部を有することを特徴とする自然エネルギー利用システムに用いられる鉛蓄電池。
【請求項４】
請求項１又は２に記載された自然エネルギー利用システムに用いられる鉛蓄電池において、仮ＳＯＣ推定結果ＤＢとＳＯＣモデル信頼度ＤＢを有し、前記ＳＯＣ推定部は前記放電時ＳＯＣモデルと充電時ＳＯＣモデルのいずれか選択されたモデルを用いて前記鉛蓄電池のＳＯＣである仮ＳＯＣを推定し、前記仮ＳＯＣ推定結果ＤＢに放電時推定結果と充電時推定結果に分けて格納し、前記ＳＯＣ推定部は放電時推定結果と充電時推定結果と前記ＳＯＣモデル信頼度ＤＢの情報を基に現在のＳＯＣを推定することを特徴とする自然エネルギー利用システムに用いられる鉛蓄電池。
【請求項５】
請求項１又は２に記載された自然エネルギー利用システムに用いられる鉛蓄電池において、前記均等充電最適計画部が決定する均等充電間隔は、鉛蓄電池の放電量（Ａｈ）、充放電量（Ａｈ）、放電時間または放電日数のいずれか一つを基準とすることを特徴とする自然エネルギー利用システムに用いられる鉛蓄電池。
【請求項６】
請求項１又は２に記載された自然エネルギー利用システムに用いられる鉛蓄電池において、前記ＳＯＣ推移ＤＢに格納されているＳＯＣ推移状況と、均等充電最適計画部により決められた均等充電の実施予定の情報を外部に出力する、ＳＯＣ推移情報・均等充電情報出力部を設けたことを特徴とする自然エネルギー利用システムに用いられる鉛蓄電池。
【請求項７】
請求項６に記載された自然エネルギー利用システムに用いられる鉛蓄電池において、前記ＳＯＣ推移情報・均等充電情報出力部は、ＳＯＣ推移状況と、均等充電の実施予定の他に、鉛蓄電池の放電量（Ａｈ）、又は充放電量（Ａｈ）の情報を出力することを特徴とする自然エネルギー利用システムに用いられる鉛蓄電池。
【請求項８】
請求項１に記載された自然エネルギー利用システムに用いられる鉛蓄電池において、
前記劣化モデルは、前記鉛蓄電池の充電状態及び電池の充放電を含む電池の運用状況と劣化の関係を表す劣化モデルであり、
前記鉛蓄電池は、さらに風力発電の予測値を得るために過去の風力発電情報を分析して作成した風力発電予測ＤＢと、該風力発電予測ＤＢを用いて将来の風力発電量を予測する風力発電予測部と、該風力発電予測部からの将来の風力発電予測結果と、前記ＳＯＣ推移履歴管理部からのＳＯＣ推移状況および前記劣化モデルの情報をもとに、前記鉛蓄電池の長寿命化に最適な鉛蓄電池の充放電を計画する充放電計画部と、該充放電計画部により決められた充放電の計画に従って、前記鉛蓄電池の充放電を制御する充放電実施部を設けたことを特徴とする自然エネルギー利用システムに用いられる鉛蓄電池。
【請求項９】
請求項８に記載された自然エネルギー利用システムに用いられる鉛蓄電池において、前記風力発電予測部による風力発電の予測結果と、前記ＳＯＣ推移ＤＢに格納されているＳＯＣ推移状況と、前記充放電計画部により決められた充放電に関する情報を外部に出力する、風力発電情報・ＳＯＣ推移情報・充放電情報出力部を設けたことを特徴とする自然エネルギー利用システムに用いられる鉛蓄電池。
【請求項１０】
鉛蓄電池と、鉛蓄電池の状態を測定する電池状態測定部と、前記鉛蓄電池の電流・電圧・温度などのファクタと鉛蓄電池の電池充電状態の関係を表すＳＯＣモデルと、前記鉛蓄電池の均等充電を実施する均等充電実施部を有する自然エネルギー利用システムに用いられる鉛蓄電池システムにおいて、
前記電池状態測定部によって測定した情報と前記ＳＯＣモデルの情報から、前記鉛蓄電池の充電状態を推定するＳＯＣ推定部と、前記鉛蓄電池の充電状態がどのように推移しているかを記録するＳＯＣ推移ＤＢと、前記ＳＯＣ推定部に推定された充電状態の値を前記ＳＯＣ推移ＤＢに記録するとともにＳＯＣの推移状況を調べるＳＯＣ推移履歴管理部と、前記鉛蓄電池の充電状態を含む鉛蓄電池の運用状況と劣化の関係を表す劣化モデルと、前記ＳＯＣ推移履歴管理部からのＳＯＣ推移状況および前記劣化モデルの情報をもとに均等充電の最適な実施方式を計画する均等充電最適計画部とを設けたことを特徴とする自然エネルギー利用システムに用いられる鉛蓄電池システム。
【請求項１１】
請求項１０に記載された自然エネルギー利用システムに用いられる鉛蓄電池システムにおいて、前記均等充電最適計画部は、さらに均等充電間隔決定部と均等充電方式決定部を有することを特徴とする自然エネルギー利用システムに用いられる鉛蓄電池システム。
【請求項１２】
請求項１０又は１１に記載された自然エネルギー利用システムに用いられる鉛蓄電池システムにおいて、前記ＳＯＣモデルは放電時ＳＯＣモデルと充電時ＳＯＣモデルを有し、前記電池状態測定部の情報に基づいて前記放電時ＳＯＣモデルと充電時ＳＯＣモデルのいずれかを選択するＳＯＣ推定モデル選択部を有することを特徴とする自然エネルギー利用システムに用いられる鉛蓄電池システム。
【請求項１３】
請求項１０又は１１に記載された自然エネルギー利用システムに用いられる鉛蓄電池システムにおいて、仮ＳＯＣ推定結果ＤＢとＳＯＣモデル信頼度ＤＢを有し、前記ＳＯＣ推定部は前記放電時ＳＯＣモデルと充電時ＳＯＣモデルのいずれか選択されたモデルを用いて前記鉛蓄電池のＳＯＣである仮ＳＯＣを推定し、前記仮ＳＯＣ推定結果ＤＢに放電時推定結果と充電時推定結果に分けて格納し、前記ＳＯＣ推定部は放電時推定結果と充電時推定結果と前記ＳＯＣモデル信頼度ＤＢの情報を基に現在のＳＯＣを推定することを特徴とする自然エネルギー利用システムに用いられる鉛蓄電池システム。
【請求項１４】
請求項１０又は１１に記載された自然エネルギー利用システムに用いられる鉛蓄電池システムにおいて、前記均等充電最適計画部が決定する均等充電間隔は、鉛蓄電池の放電量（Ａｈ）、充放電量（Ａｈ）、放電時間または放電日数のいずれか一つを基準とすることを特徴とする自然エネルギー利用システムに用いられる鉛蓄電池システム。
【請求項１５】
請求項１０又は１１に記載された自然エネルギー利用システムに用いられる鉛蓄電池システムにおいて、前記ＳＯＣ推移ＤＢに格納されているＳＯＣ推移状況と、均等充電最適計画部により決められた均等充電の実施予定の情報を外部に出力する、ＳＯＣ推移情報・均等充電情報出力部を設けたことを特徴とする自然エネルギー利用システムに用いられる鉛蓄電池システム。
【請求項１６】
請求項１５に記載された自然エネルギー利用システムに用いられる鉛蓄電池システムにおいて、前記ＳＯＣ推移情報・均等充電情報出力部は、ＳＯＣ推移状況と、均等充電の実施予定の他に、鉛蓄電池の放電量（Ａｈ）、又は充放電量（Ａｈ）の情報を出力することを特徴とする自然エネルギー利用システムに用いられる鉛蓄電池システム。
【請求項１７】
請求項８に記載された鉛蓄電池を用いたことを特徴とする鉛蓄電池システム。
【請求項１８】
請求項１７に記載された自然エネルギー利用システムに用いられる鉛蓄電池システムにおいて、前記風力発電予測部による風力発電の予測結果と、前記ＳＯＣ推移ＤＢに格納されているＳＯＣ推移状況と、前記充放電計画部により決められた充放電に関する情報を外部に出力する、風力発電情報・ＳＯＣ推移情報・充放電情報出力部を設けたことを特徴とする自然エネルギー利用システムに用いられる鉛蓄電池システム。